(57)【要約】【課題】不正に開封された場合に、通信機能が残存しないように精度良くＩＣタグシールを切断可能な基板ケースを提供する。【解決手段】ケース本体２と蓋部材３とを組み付けて形成される基板ケース１において、ケース本体２および蓋部材３から右外方に突設されるシール貼付部１０と、ケース本体２と蓋部材３とを跨ぐようにシール貼付部１０に貼り付けられるＩＣタグシール３０と、ＩＣタグシール３０を切断するＩＣタグカッター２０と、シール貼付部１０を覆うようにケース本体２および蓋部材３に取り付けられ、ＩＣタグカッター２０と固定されるシール貼付部カバー４０と、を具備し、シール貼付部１０には、ＩＣタグカッター２０を収容する収容部１１が形成され、ＩＣタグカッター２０は、シール貼付部カバー４０がケース本体２および蓋部材３から取り外される際に、ＩＣタグシール３０におけるＩＣチップ３２を含む部分を切り抜く切抜部２２ａを備える。【選択図】図８
2011212325.tif 000002
【特許請求の範囲】
【請求項１】
ケース本体と蓋部材とを組み付けて形成される基板ケースであって、
前記ケース本体の一部、および前記蓋部材の一部が互いの位置を合わせて外方に突出するように形成されるシール貼付部と、
前記ケース本体と前記蓋部材との境界を跨ぐように、前記シール貼付部の表面に貼り付けられるＩＣタグシールと、
前記ＩＣタグシールを切断する切断手段と、
前記シール貼付部の全体を覆うように、前記ケース本体および前記蓋部材に取り付けられることで、前記ケース本体と前記蓋部材との組み付けを保持するシール貼付部カバーと、を具備し、
前記シール貼付部には、前記切断手段を収容する収容部が形成され、
前記収容部は、前記シール貼付部における突出側の面に形成される切り欠きを含み、
前記切断手段は、前記切り欠きに収容される切抜部を含み、
前記ＩＣタグシールは、所定の情報が記録されるＩＣチップと、当該ＩＣチップに接続されるアンテナとを備え、前記収容部に前記切断手段が収容された状態で、前記切り欠きを覆い、かつ前記ＩＣチップと前記切り欠きとの位置が合うように、前記シール貼付部における前記ケース本体側の表面、突出方向側の表面、および前記蓋部材側の表面に貼り付けられ、
前記シール貼付部カバーは、前記収容部に前記切断手段が収容され、かつ前記ＩＣタグシールが貼り付けられた状態の前記シール貼付部の全体を覆うように前記ケース本体および前記蓋部材に取り付けられることで、前記切断手段と一体的に固定され、
前記ケース本体および前記蓋部材から前記シール貼付部カバーが取り外される際には、前記シール貼付部カバーと一体的に固定された前記切断手段が前記シール貼付部の突出方向に沿って移動し、前記切抜部が前記切り欠きに沿って前記ＩＣタグシールにおける前記ＩＣチップを含む部分を切り抜く基板ケース。
【請求項２】
前記切抜部は、前記シール貼付部の突出方向に向けて延出される円筒状に形成され、
前記切抜部の延出端部には、前記シール貼付部の突出方向に向けての尖端が形成される請求項１に記載の基板ケース。
【発明の詳細な説明】
【技術分野】
【０００１】
本発明は、基板ケースに関し、特に基板ケースに貼り付けられたＩＣタグシールを切断する技術に関する。
【背景技術】
【０００２】
従来、パチンコ機やスロットルマシン等の遊技機において、制御基板を収納する部材として、ケース本体と蓋部材とを組み付けて形成される基板ケースが用いられている。基板ケースに収納した制御基板への不正行為を防止するため、基板ケースに関する種々の技術が公知となっている。これらの技術の中には、基板ケースが不正に開封されることを抑制することにより、その基板ケースに収納した制御基板に不正行為が行われることを抑制するとともに、仮に基板ケースが不正に開封された場合には、その遊技機が設置された遊技場等の担当者に基板ケースが不正に開封されたことを、認識させることができる技術がある。
【０００３】
特許文献１には、専用の読取装置によって非接触で情報を読み取り可能なＩＣタグシール（封印シール）をケース本体と蓋部材との境界を跨ぐように基板ケースに貼り付けることで、ＩＣタグシールを剥離、又はケース本体と蓋部材との境界に沿って切断しない限り、基板ケースの開封を不可能とし、基板ケースが不正に開封されることを抑制する技術が記載されている。
このような技術に用いられるＩＣタグシールは、識別情報等が記録されたＩＣチップと、当該ＩＣチップに接続された帯状のアンテナとを備える。基板ケースが不正に開封された場合には、ＩＣタグシールが切断されることで、ＩＣタグシールのアンテナが破損する。
そのため、上記の技術によれば、基板ケースが不正に開封された場合には、外部からＩＣタグシールのＩＣチップに記録された情報を読み取ることが不可能となって、上記の担当者に基板ケースが不正に開封されたことを認識させることができる。
【０００４】
しかしながら、上記のような技術では、ＩＣタグシールのアンテナが切断された場合でも、その切断箇所によっては、外部からＩＣチップに記録された情報を読み取ることができる場合がある。
詳細には、ＩＣタグシールのアンテナには、所定の形状のスリットを設けることで、ＩＣチップとアンテナとのインピーダンス整合のためのスタブが形成されており、当該スタブを切断するようにアンテナが破損されていないと、ＩＣタグシールの通信機能が残存する恐れがある。
【先行技術文献】
【特許文献】
【０００５】
【特許文献１】特開２０１０−２２５２５号公報
【発明の概要】
【発明が解決しようとする課題】
【０００６】
本発明は、不正に開封された場合に、通信機能が残存しないように精度良くＩＣタグシールを切断可能な基板ケースを提供することを課題とする。
【課題を解決するための手段】
【０００７】
本発明の基板ケースは、ケース本体と蓋部材とを組み付けて形成される基板ケースであって、前記ケース本体の一部、および前記蓋部材の一部が互いの位置を合わせて外方に突出するように形成されるシール貼付部と、前記ケース本体と前記蓋部材との境界を跨ぐように、前記シール貼付部の表面に貼り付けられるＩＣタグシールと、前記ＩＣタグシールを切断する切断手段と、前記シール貼付部の全体を覆うように、前記ケース本体および前記蓋部材に取り付けられることで、前記ケース本体と前記蓋部材との組み付けを保持するシール貼付部カバーと、を具備し、前記シール貼付部には、前記切断手段を収容する収容部が形成され、前記収容部は、前記シール貼付部における突出側の面に形成される切り欠きを含み、前記切断手段は、前記切り欠きに収容される切抜部を含み、前記ＩＣタグシールは、所定の情報が記録されるＩＣチップと、当該ＩＣチップに接続されるアンテナとを備え、前記収容部に前記切断手段が収容された状態で、前記切り欠きを覆い、かつ前記ＩＣチップと前記切り欠きとの位置が合うように、前記シール貼付部における前記ケース本体側の表面、突出方向側の表面、および前記蓋部材側の表面に貼り付けられ、前記シール貼付部カバーは、前記収容部に前記切断手段が収容され、かつ前記ＩＣタグシールが貼り付けられた状態の前記シール貼付部の全体を覆うように前記ケース本体および前記蓋部材に取り付けられることで、前記切断手段と一体的に固定され、前記ケース本体および前記蓋部材から前記シール貼付部カバーが取り外される際には、前記シール貼付部カバーと一体的に固定された前記切断手段が前記シール貼付部の突出方向に沿って移動し、前記切抜部が前記切り欠きに沿って前記ＩＣタグシールにおける前記ＩＣチップを含む部分を切り抜く。
【０００８】
本発明の基板ケースにおいて、前記切抜部は、前記シール貼付部の突出方向に向けて延出される円筒状に形成され、前記切抜部の延出端部には、前記シール貼付部の突出方向に向けての尖端が形成されることが好ましい。
【発明の効果】
【０００９】
本発明によれば、基板ケースが不正に開封された場合に、通信機能が残存しないように精度良くＩＣタグシールを切断することができる。
【図面の簡単な説明】
【００１０】
【図１】本発明の一実施形態に係る基板ケースの外観を示した斜視図。
【図２】同じく、基板ケースの全体的な構成を示した斜視図。
【図３】同じく、ケース本体および蓋部材の構成を示した基板ケースの分解斜視図。
【図４】ＩＣタグシールの構成を示した図。
【図５】ＩＣタグシールのアンテナの構成を示した図。
【図６】ＩＣタグシールが貼り付けられた基板ケースを示した斜視図。
【図７】シール貼付部の構成を示した右側面図。
【図８】ＩＣタグカッターの構成を示した斜視図。
【図９】ＩＣタグカッターの構成を第三角法で示した図。
【図１０】ＩＣタグカッターがシール貼付部の収容部に収容された様子を示す正面断面図。
【図１１】ＩＣタグカッターがシール貼付部の収容部に収容された様子を示す右側面図。
【図１２】シール貼付部に貼り付けられたＩＣタグシールをシール貼付部の内部から見た図。
【図１３】シール貼付部カバーが取り付けられた様子を示す正面断面図。
【図１４】ＩＣタグカッターがＩＣタグシールを切断する様子を示す正面図。
【図１５】ＩＣタグシールが切断された基板ケースを示した斜視図。
【発明を実施するための形態】
【００１１】
本発明の一実施形態に係る基板ケース１について、図１から図６を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１２】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１３】
図１および図２に示すように、基板ケース１は、ケース本体２と、蓋部材３とを備える。基板ケース１は、ケース本体２と蓋部材３とを、後前に対向させた状態で組み付け、中空状に構成される。
【００１４】
基板ケース１には、かしめ部４およびシール貼付部１０がケース本体２と蓋部材３との間に跨って設けられて、かしめ部４がかしめ部カバー５により被覆され、シール貼付部１０がＩＣタグカッター２０とＩＣタグシール３０と共にシール貼付部カバー４０により被覆される。
【００１５】
図３に示すように、ケース本体２は、蓋部材３とともに基板ケース１の主たる構造体を成す部材である。ケース本体２は、蓋部材３との対向側である前側、および下側が開口された略直方体の箱状に形成される。ケース本体２は、その長手方向を左右方向とし、その短手方向を上下方向として配置され、背面が遊技機の裏面と対向するように当該遊技機に支持される。ケース本体２の前後幅は、上下幅よりも短く設定される。
また、ケース本体２は、本体側かしめ部４Ｒと、本体側シール貼付部１０Ｒとを備える。
【００１６】
本体側かしめ部４Ｒは、後述する蓋部材３の蓋側かしめ部４Ｆとともにかしめ部４を構成する。本体側かしめ部４Ｒは複数（本実施形態においては６つ）備えられる。複数の本体側かしめ部４Ｒは、ケース本体２の上端部（天板）に設けられ、ケース本体２の長手方向、即ち左右方向に適宜の間隔ごとに配置される。
【００１７】
本体側シール貼付部１０Ｒは、後述する蓋部材３の蓋側シール貼付部１０Ｆとともにシール貼付部１０を構成する。本体側シール貼付部１０Ｒは、ケース本体２の右端部（右側板）から右外方へ向けて突設される。本体側シール貼付部１０Ｒは、前側が開口された略直方体の箱状に形成される。本体側シール貼付部１０Ｒの前後幅はケース本体２の前後幅の半分程度に設定され、本体側シール貼付部１０Ｒの上下幅はケース本体２の上下幅よりも短く設定される。
【００１８】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。
また、蓋部材３は、蓋側かしめ部４Ｆと、蓋側シール貼付部１０Ｆとを備える。
【００１９】
蓋側かしめ部４Ｆは、ケース本体２の本体側かしめ部４Ｒとともにかしめ部４を構成する。蓋側かしめ部４Ｆは、本体側かしめ部４Ｒと同数（本実施形態においては６つ）備えられる。複数の蓋側かしめ部４Ｆは、蓋部材３の上端部（天板）に設けられ、蓋部材３がケース本体２に組み付けられたときに正面視で一つの本体側かしめ部４Ｒと重なり合うように配置される。
【００２０】
蓋側シール貼付部１０Ｆは、ケース本体２の本体側シール貼付部１０Ｒとともにシール貼付部１０を構成する。蓋側シール貼付部１０Ｆは、本体側シール貼付部１０Ｒと位置を合わせて、蓋部材３の右端部（右側板）から右外方へ向けて突設される。詳細には、蓋側シール貼付部１０Ｆは、ケース本体２の本体側シール貼付部１０Ｒと同程度の上下幅および左右幅を有する略平板状に形成され、蓋部材３がケース本体２に組み付けられたときに正面視で本体側シール貼付部１０Ｒと重なり合うように配置される。
【００２１】
図２に示すように、かしめ部４は、一つの本体側かしめ部４Ｒと一つの蓋側かしめ部４Ｆとから形成される。かしめ部４は、本体側かしめ部４Ｒ（蓋側かしめ部４Ｆ）と同数（本実施形態においては６つ）備えられる。複数のかしめ部４は、ケース本体２と蓋部材３とが組み付けられたとき、蓋側かしめ部４Ｆを本体側かしめ部４Ｒに下方から嵌め込んだ状態で形成され、前後に連続する蓋部材３の天板の前側部分およびケース本体２の天板よりも上方に配置される。
【００２２】
かしめ部カバー５は、複数のかしめ部４を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。かしめ部カバー５の前後左右および上下幅は、複数のかしめ部４を外側から一括して被覆可能な長さに設定される。
【００２３】
シール貼付部１０は、本体側シール貼付部１０Ｒと蓋側シール貼付部１０Ｆとから形成される。シール貼付部１０は、ケース本体２と蓋部材３とが組み付けられたとき、蓋側シール貼付部１０Ｆにより本体側シール貼付部１０Ｒの開口側を閉塞して、略直方体の箱状に形成される。
【００２４】
シール貼付部１０には、ＩＣタグカッター２０を収容するための収容部１１が形成されている。
収容部１１は、シール貼付部１０の右側面から左端部にかけて形成されており、ＩＣタグカッター２０を所定の向きでシール貼付部１０の右側面からシール貼付部１０の内部に収容可能となっている。
【００２５】
ＩＣタグカッター２０は、ＩＣタグシール３０を切断するための切断手段として機能する。ＩＣタグカッター２０は、所定の向きでシール貼付部１０の右側面から収容部１１に収容される。
【００２６】
ＩＣタグシール３０は、シール貼付部１０に貼り付けることで、基板ケース１を開封する不正行為を防止する封印シールである。ＩＣタグシール３０は、通信機能を有し、専用の読取装置によって外部から非接触で所定の情報を読み取り可能に構成されている。
【００２７】
図４に示すように、ＩＣタグシール３０は、シール材３１と、ＩＣチップ３２と、アンテナ３３とを備える。
【００２８】
シール材３１は、外周が鋸歯状に形成された略長方形状の部材である。シール材３１は、一方の面に粘着剤層が形成されており、当該粘着剤層によりシール貼付部１０への貼り付けが可能となっている。
【００２９】
ＩＣチップ３２は、識別情報等が記録された集積回路であり、アンテナ３３と電気的に接続されている。
【００３０】
アンテナ３３は、帯状に形成された金属膜であり、ＩＣチップ３２に記録された情報を外部に発信するための部材である。アンテナ３３は、その長手方向がシール材３１の対角線に沿うようにシール材３１の一方の面（粘着剤層が形成された面）に配置され、アンテナ３３の中央部には、ＩＣチップ３２が配置されている。
【００３１】
図５に示すように、アンテナ３３には、スリット３３ａが形成されている。
スリット３３ａは、アンテナ３３の短手方向における一端（図５における上端）からアンテナ３３の短手方向に沿って中央付近まで延出された短手切込み３３ａＳと、当該短手方向の切込みの延出端部からアンテナ３３の長手方向における一側（図５における右側）の中途部までアンテナ３３の長手方向に沿って延出された長手切込み３３ａＬとから成る、略Ｌ字状の切込みである。
【００３２】
また、アンテナ３３には、スリット３３ａによってスタブ３３ｂが形成されている。
スタブ３３ｂは、アンテナ３３におけるスリット３３ａによって囲まれた部分であり、ＩＣチップ３２とアンテナ３３とのインピーダンス整合のために用いられる。
【００３３】
アンテナ３３においては、スリット３３ａの一部を成す短手切込み３３ａＳを跨ぐようにＩＣチップ３２が配置され、アンテナ３３のスタブ３３ｂ側および短手切込み３３ａＳを挟んだスタブ３３ｂの反対側とＩＣチップ３２とが電気的に接続されている。
こうして、ＩＣタグシール３０は、専用の読取装置によって外部から非接触でＩＣチップ３２の情報をアンテナ３３を介して読み取り可能に構成されている。
【００３４】
図６に示すように、ＩＣタグシール３０は、シール貼付部１０の収容部１１にＩＣタグカッター２０が収容された状態で、本体側シール貼付部１０Ｒと蓋側シール貼付部１０Ｆとを跨ぐように、シール貼付部１０の前面、右側面、および後面に亘って貼り付けられている。こうして、ＩＣタグシール３０が本体側シール貼付部１０Ｒと蓋側シール貼付部１０Ｆとの境界に沿って切断されること等がない限り、ケース本体２と蓋部材３との組み付けが解除されて、基板ケース１が開封されることが不可能となる。
【００３５】
シール貼付部カバー４０は、シール貼付部１０をＩＣタグカッター２０とＩＣタグシール３０と共に被覆する透明の部材である。シール貼付部カバー４０は、左側が開口された略直方体の箱状に形成される。シール貼付部カバー４０は、シール貼付部１０に貼り付けられたＩＣタグシール３０が溶剤等により不正の痕跡が残らないようにシール貼付部１０から剥離され、基板ケース１の内部に収納した制御基板に対して不正行為が行われることを防止するために用いられる。
【００３６】
シール貼付部カバー４０は、ケース本体２と蓋部材３とが組み付けられ、ケース本体２の右側板および蓋部材３の右側板にシール貼付部１０が形成された後、シール貼付部１０の収容部１１にＩＣタグカッター２０が収容され、更にシール貼付部１０の表面にＩＣタグシール３０が貼り付けられた状態で、シール貼付部１０を覆うようにケース本体２および蓋部材３に取り付けられる。こうして、シール貼付部カバー４０は、ケース本体２と蓋部材３との組み付けを保持し、シール貼付部カバー４０がケース本体２および蓋部材３から取り外されない限り、ケース本体２と蓋部材３との組み付けが解除されて、基板ケース１が開封されることが不可能となる。
【００３７】
また、詳細については後述するが、シール貼付部カバー４０は、ケース本体２および蓋部材３に取り付けられると、シール貼付部１０の収容部１１に収容されたＩＣタグカッター２０と一体的に固定される。基板ケース１が開封、つまりケース本体２と蓋部材３との組み付けが解除される際には、シール貼付部カバー４０がケース本体２および蓋部材３から取り外されると、それに伴ってシール貼付部カバー４０と一体的に固定されたＩＣタグカッター２０がシール貼付部１０の収容部１１から取り出され、シール貼付部１０の表面に貼り付けられたＩＣタグシール３０がＩＣタグカッター２０によって必然的に切断されることとなる。
【００３８】
以上のように構成される基板ケース１において、その組み立て時には、まず、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部をケース本体２に嵌合させる。
【００３９】
その後、蓋部材３の上部をケース本体２に嵌合させたまま上方へスライド移動させて、蓋部材３の各蓋側かしめ部４Ｆをケース本体２の各本体側かしめ部４Ｒに下方から嵌め込んで、蓋部材３をケース本体２に組み付ける。この際、各蓋側かしめ部４Ｆが対応する各本体側かしめ部４Ｒと前後に並んで、各かしめ部４が形成されることになる。同時に、蓋側シール貼付部１０Ｆが本体側シール貼付部１０Ｒと前後に並んで、シール貼付部１０が形成されることになる。そして、適宜のピン等の部材を各かしめ部４（本体側かしめ部４Ｒおよび蓋側かしめ部４Ｆ）に前方または後方から嵌入して、本体側かしめ部４Ｒと蓋側かしめ部４Ｆとをかしめ、ケース本体２と蓋部材３とを複数のかしめ部４にて固定する。
【００４０】
ケース本体２と蓋部材３とを組み付け、組み付けたケース本体２と蓋部材３との間に跨ってかしめ部４およびシール貼付部１０を設けた後は、かしめ部カバー５をケース本体２および蓋部材３の上部に取り付けて、複数のかしめ部４をかしめ部カバー５により外側から一括して覆う。また、シール貼付部１０の収容部１１にＩＣタグカッター２０を収容した後、本体側シール貼付部１０Ｒと蓋側シール貼付部１０Ｆとを跨ぐように、シール貼付部１０にＩＣタグシール３０を貼り付ける。更に、シール貼付部カバー４０をケース本体２および蓋部材３の右側部に取り付けて、シール貼付部１０をＩＣタグカッター２０とＩＣタグシール３０と共にシール貼付部カバー４０により外側から覆う。こうして、基板ケース１の組み立てが終了して、基板ケース１が完成する。
【００４１】
以下では、シール貼付部１０、ＩＣタグカッター２０、ＩＣタグシール３０、およびシール貼付部カバー４０について、図７から図１５を用いて更に詳細に説明する。
【００４２】
図７に示すように、シール貼付部１０に形成された収容部１１は、境界スリット１２と、切り欠き１３とで構成されている。
【００４３】
境界スリット１２は、本体側シール貼付部１０Ｒと蓋側シール貼付部１０Ｆとの境界部分に形成された切込みである。詳細には、境界スリット１２は、本体側シール貼付部１０Ｒと蓋側シール貼付部１０Ｆとが所定の間隔を有するように、本体側シール貼付部１０Ｒの右側板、天板、および底板の前後幅が設定されることによって形成される。
【００４４】
切り欠き１３は、本体側シール貼付部１０Ｒの右側板を略円形状に切り欠くように形成され、境界スリット１２の上下中央付近において境界スリット１２と連続するように配置されている。つまり、切り欠き１３は、本体側シール貼付部１０Ｒの右側板の前端部から後方に向けて略円形状に切り欠くように形成され、本体側シール貼付部１０Ｒの上下中央付近に配置されている。
【００４５】
また、シール貼付部１０は、係合片１４・１４を備える。
係合片１４・１４は、蓋側シール貼付部１０Ｆの後面（内面）から後方へ突出する略直方体状に形成されており、上下方向に沿って互いに所定の間隔を空けて配置されている。
【００４６】
図８および図９に示すように、ＩＣタグカッター２０は、切断板２１と、切抜部材２２とを備える。
なお、以下におけるＩＣタグカッター２０の説明においては、ＩＣタグカッター２０がシール貼付部１０の収容部１１に収容される向き（図８参照）に設定されたものとして、その方向を規定している。
詳細には、図８における矢印Ｘの指す方向をＩＣタグカッター２０の右方向として左右方向と規定している。また、図８における矢印Ｙの指す方向をＩＣタグカッター２０の前方向として前後方向を規定している。さらに、図８における矢印Ｚの指す方向をＩＣタグカッター２０の上方向として上下方向を規定している。
【００４７】
切断板２１は、上下方向に延出された板材である。切断板２１は、収容部１１の一部を成す境界スリット１２の形状に合わせて形成され、境界スリット１２に収容（係合）可能となっている。
図１０および図１１に示すように、切断板２１は、境界スリット１２に収容された際に、境界スリット１２から外方に突出しない程度の大きさに設定されている。
【００４８】
図８および図９に示すように、切断板２１の右端部には、切断部２１ａが形成されている。
【００４９】
切断部２１ａは、ＩＣタグシール３０における本体側シール貼付部１０Ｒと蓋側シール貼付部１０Ｆとの境界を跨ぐ部分を切断する部位である。切断部２１ａは、シール貼付部カバー４０の取り外し方向、つまり右方向に行くに従って前方に向けて傾斜し、当該傾斜面と切断板２１の前面とが鋭角を成すように形成されている。切断部２１ａは、上下方向における両端に亘って連続的に形成されている。切断部２１ａは、その上下方向の両端部分がシール貼付部カバー４０の取り外し方向に向けて尖るように形成されている。
【００５０】
切抜部材２２は、左右方向に延出された円筒状の部材である。切抜部材２２は、切断板２１の後面に結合されると共に、収容部１１の一部を成す切り欠き１３の形状に合わせて形成され、切り欠き１３に収容（係合）可能となっている。
図１０および図１１に示すように、切抜部材２２は、切り欠き１３に収容された際に、境界スリット１２から外方に突出しない程度の大きさに設定されている。
【００５１】
図８および図９に示すように、切抜部材２２の右端部には、切抜部２２ａが形成されている。
【００５２】
切抜部２２ａは、ＩＣタグシール３０の所定の部分を切り抜く部位である。切抜部２２ａは、円筒状の切抜部材２２が左後方から右前方にかけての傾斜面で切断されて、右端部がシール貼付部カバー４０の取り外し方向に向けて尖る注射針状に形成されている。つまり、切抜部２２ａは、切抜部材２２の右端部において、右方向に向けての尖端が前側に位置するように形成されている。
【００５３】
以上のように、切断板２１、および切抜部材２２は、それぞれ境界スリット１２、および切り欠き１３と位置を合わせるように一体的に構成されているため、ＩＣタグカッター２０が収容部１１に収容可能となっている（図１１参照）。
【００５４】
また、図８および図９に示すように、切断板２１には、係合部２３・２３と、固定部２４・２４とが形成されている。
【００５５】
係合部２３・２３は、シール貼付部１０の係合片１４・１４と係合する部位である。係合部２３・２３は、係合片１４・１４の形状に合わせて切断板２１の左端部から右方向に向けて切り欠くように形成され、互いに所定の間隔を空けて配置されている。
【００５６】
固定部２４・２４は、ＩＣタグカッター２０とシール貼付部カバー４０とを固定するための部位である。固定部２４・２４は、それぞれ切断板２１の上端部および下端部から左方向に向けて突出し、突出端部に行くに従って互いに徐々に離間するように形成されている。
図１０に示すように、固定部２４・２４の突出端部は、ＩＣタグカッター２０が収容部１１に収容された際に、それぞれシール貼付部１０の上端部および下端部の近傍に配置される。
【００５７】
ＩＣタグカッター２０は、切断板２１の係合部２３・２３がシール貼付部１０の係合片１４・１４と係合し、更に切断板２１の切断部２１ａがシール貼付部１０の右側面よりも若干左方に位置し、切断板２１の固定部２４・２４の突出端部（左端部）がそれぞれシール貼付部１０の上端部および下端部の近傍に位置するように収容部１１に収容される。
また、図１１に示すように、ＩＣタグカッター２０は、境界スリット１２と切断板２１、および切り欠き１３と切抜部材２２がそれぞれ互いに対応して収容部１１に収容される。
【００５８】
この状態で、ＩＣタグシール３０がシール貼付部１０におけるケース本体２側の表面、突出方向側の表面、および蓋部材３側の表面、つまりシール貼付部１０の前面、右側面、および後面に亘って、境界スリット１２、および切り欠き１３を覆うように貼り付けられる。
【００５９】
図１２に示すように、ＩＣタグシール３０は、切抜部材２２の軸方向から見て、ＩＣチップ３２が切抜部材２２の内部に位置するようにシール貼付部１０に貼り付けられる。換言すれば、切抜部材２２は、例えばその内周の範囲内にＩＣチップ３２が収まるだけの径の大きさを有しており、ＩＣタグシール３０がシール貼付部１０に貼り付けられた際に、ＩＣチップ３２と切抜部材２２との位置が合うように切り欠き１３が形成されている。
【００６０】
その後、シール貼付部カバー４０がシール貼付部１０をＩＣタグカッター２０とＩＣタグシール３０と共に被覆するようにケース本体２および蓋部材３に取り付けられる。
【００６１】
図１３に示すように、シール貼付部カバー４０は、固定爪４１・４１と、掛止片４２・４２とを備える。
【００６２】
固定爪４１・４１は、ＩＣタグカッター２０とシール貼付部カバー４０とを固定するための部材である。固定爪４１・４１は、左方向に延出するように形成され、それぞれシール貼付部カバー４０の上端部近傍および下端部近傍に配置される。固定爪４１・４１は、延出端部（左端部）が互いに近接する方向に突起するように形成されている。
【００６３】
掛止片４２・４２は、ケース本体２および蓋部材３と、シール貼付部カバー４０とを固定するための部材である。掛止片４２・４２は、それぞれ、上方の固定爪４１の上面から上方へ、下方の固定爪４１の下面から下方へ突起するように形成されている。上方の固定爪４１は、ケース本体２に形成された掛止爪２ａに掛止され、下方の固定爪４１は、蓋部材３に形成された掛止爪３ａに掛止されることで、ケース本体２および蓋部材３と、シール貼付部カバー４０とが固定される。
掛止爪２ａは、ケース本体２の右側面から右方向に突出するように形成された部材であり、シール貼付部１０の上方に配置されている。掛止爪２ａは、延出端部（右端部）が下方に突起するように形成されている。
掛止爪３ａは、蓋部材３の右側面から右方向に突出するように形成された部材であり、シール貼付部１０の下方に配置されている。掛止爪３ａは、延出端部（右端部）が上方に突起するように形成されている。
【００６４】
シール貼付部カバー４０は、ＩＣタグカッター２０が収容され、かつＩＣタグシール３０（不図示）が貼り付けられた状態のシール貼付部１０に右方向から近接されることで、固定爪４１・４１がＩＣタグカッター２０における切断板２１の固定部２４・２４に掛止され、掛止片４２・４２が掛止爪２ａ・３ａに掛止される。
こうして、シール貼付部カバー４０に右方向への力が加わった際（シール貼付部カバー４０を取り外そうとした際）には、シール貼付部カバー４０の右方向への移動を前記掛止爪２ａ・３ａの突起部分が制限することとなり、掛止爪２ａ・３ａの切断等が行われない限り、シール貼付部カバー４０をケース本体２および蓋部材３から取り外すことが不可能となる。
【００６５】
また、掛止爪２ａ・３ａの切断等が行われ、シール貼付部カバー４０がケース本体２および蓋部材３から取り外される際には、ＩＣタグカッター２０の左方向への移動を前記固定爪４１・４１の突起部分が制限し、ＩＣタグカッター２０の右方向への移動をシール貼付部カバー４０の右側部の内面が制限することとなる。そのため、シール貼付部カバー４０と一体的に固定されたＩＣタグカッター２０が、シール貼付部カバー４０と共にシール貼付部１０の収容部１１から取り出されることとなる。
これにより、シール貼付部カバー４０がケース本体２および蓋部材３から取り外されると、必然的にＩＣタグカッター２０がＩＣタグシール３０を切断することとなり、基板ケース１が不正に開封されることを抑制できる。
【００６６】
図１４に示すように、シール貼付部カバー４０がケース本体２および蓋部材３から取り外される際、シール貼付部カバー４０（不図示）が右方向（図１４における矢印方向）に移動するに伴い、ＩＣタグカッター２０も右方向に移動する。
なお、図１４においては、説明の便宜上、シール貼付部カバー４０を省略している。
【００６７】
まず、ＩＣタグカッター２０の移動に伴って、切抜部２２ａが切り欠き１３に沿ってＩＣタグシールを切り抜く。
この時、ＩＣタグシール３０のＩＣチップ３２の位置に合わせて、切抜部２２ａが配置されている。
これにより、ＩＣタグシール３０におけるＩＣチップ３２を含む部分を切り抜いて、ＩＣタグシール３０の通信機能を消失させることができる。
【００６８】
また、切抜部２２ａは、右方向に向けての尖端を有する。
これにより、切抜部２２ａの尖端がＩＣタグシール３０を貫通し、当該貫通部分からＩＣタグシール３０を切抜部材２２の外周形状に沿って良好に切り抜くことができる。
なお、切抜部２２ａの尖端は、ＩＣタグシール３０のアンテナ３３の位置に合わせて配置されることが好ましく、アンテナ３３における長手方向のスタブ３３ｂ側に配置されることが更に好ましい。アンテナ３３は、シール材３１よりも切断し難いからである。
【００６９】
また、切抜部材２２は、円筒状に形成されている。
これにより、ＩＣタグシール３０をＩＣチップ３２の周囲近傍で良好に切り抜くことができる。
更に、切抜部２２ａによるＩＣタグシール３０の切断面が円形となり、ＩＣタグシール３０のシール貼付部１０への貼付位置のずれ、又はＩＣタグシール３０の製品誤差によるＩＣチップ３２またはアンテナ３３の位置のずれ等が生じて、切抜部材２２の切抜部２２ａによってＩＣタグシール３０におけるＩＣチップ３２を含まない部分が切り抜かれた場合でも、ＩＣタグシール３０が直線状に切断されるのと比較して、精度良くＩＣタグシール３０におけるアンテナ３３のスタブ３３ｂを切断して、ＩＣタグシール３０の通信機能が残存することを防止できる。
なお、切抜部材２２の外径は、ＩＣチップ３２およびアンテナ３３の形状等を考慮して適宜設定される。
【００７０】
次に、ＩＣタグカッター２０の移動に伴って、切断部２１ａが境界スリット１２に沿ってＩＣタグシール３０を切断する。
前述のように、切断部２１ａは、上下方向の両端部分に尖端を有する。
これにより、前記尖端がＩＣタグシール３０における本体側シール貼付部１０Ｒと蓋側シール貼付部１０Ｆとの境界を跨ぐ部分に対して、その上下方向の両端部から切れ目を形成し、当該切れ目部分からＩＣタグシール３０を境界スリット１２に沿って良好に切断することができる。
【００７１】
図１５に示すように、ケース本体２および蓋部材３からシール貼付部カバー４０が完全に取り外され、ＩＣタグカッター２０によってＩＣタグシール３０が切断されると、ＩＣタグシール３０に切断痕が残る。つまり、ＩＣタグカッター２０には、切断部２１ａ、および切抜部２２ａが設けられているため、境界スリット１２、および切り欠き１３に沿った切断痕がＩＣタグシール３０に残る。
これにより、基板ケース１が不正に開封された痕跡を目視で容易に発見することができる。
【００７２】
なお、本実施形態においては、切抜部２２ａを一箇所の尖端を有する円筒状に形成したが、本構成に限定するものではなく、ＩＣタグシール３０をＩＣチップ３２が含まれる部分で切り抜くことができればよい。
例えば、切抜部２２ａを二箇所の尖端を有する円筒状、または一箇所の尖端を有する筒状の三角柱に形成することも可能である。
【符号の説明】
【００７３】
１：基板ケース、２：ケース本体、３：蓋部材、１０：シール貼付部、１０Ｒ：本体側シール貼付部、１０Ｆ：蓋側シール貼付部、１１：収容部、１２：境界スリット、１３：切り欠き、２０：ＩＣタグカッター、２１：切断板、２１ａ：切断部、２２：切抜部材、２２ａ：切抜部、３０：ＩＣタグシール、３１：シール材、３２：ＩＣチップ、３３：アンテナ、３３ａ：スリット、３３ｂ：スタブ、４０：シール貼付部カバー
【図１】
2011212325.tif 000003
【図２】
2011212325.tif 000004
【図３】
2011212325.tif 000005
【図４】
2011212325.tif 000006
【図５】
2011212325.tif 000007
【図６】
2011212325.tif 000008
【図７】
2011212325.tif 000009
【図８】
2011212325.tif 000010
【図９】
2011212325.tif 000011
【図１０】
2011212325.tif 000012
【図１１】
2011212325.tif 000013
【図１２】
2011212325.tif 000014
【図１３】
2011212325.tif 000015
【図１４】
2011212325.tif 000016
【図１５】
2011212325.tif 000017